(57)【要約】【課題】開放検知機能の追加を手軽に行えるようにする。【解決手段】パチンコ機１０は、外枠１２と、外枠１２に回動自在に保持され、開き位置と閉じ位置との間で移動するパチンコ機本体１４とを備えている。パチンコ機本体１４には、遊技盤ユニット３０が着脱自在に設けられる。遊技盤ユニット３０は、遊技盤３４、前面扉３２及びこれらを保持する保持枠３６を備え、保持枠３６がパチンコ機本体１４に取り付けられる。また、遊技盤ユニット３０には、保持枠３６とは別にパチンコ機本体１４に取り付けられる本体開放検知スイッチ５４が設けられている。本体開放検知スイッチ５４は、クリップ５８により遊技球タンク２０の側壁２０ｂに取り付けられる。本体開放検知スイッチ５４は、柔軟なハーネス５２を介して遊技盤３４に接続されており、パチンコ機本体１４が開き位置に移動したことを検知する。【選択図】図４
2009000218.tif 000002
【特許請求の範囲】
【請求項１】
外枠に開閉自在に軸着されたパチンコ機本体と、
前面に遊技球が打ち出される遊技領域が形成されるとともに背面に遊技を制御する制御基板が配置された遊技盤、及び、前記遊技盤とは別体に設けられ、可撓性を有する信号線を介して前記制御基板に連結され、前記パチンコ機本体が開放されたことを検知して前記制御基板に開放検知信号を入力する検知スイッチを有し、前記パチンコ機本体に交換自在に装着される遊技盤ユニットとを備えたことを特徴とするパチンコ機。
【請求項２】
外枠に開閉自在に軸着されたパチンコ機本体と、
前面に遊技球が打ち出される遊技領域が形成されるとともに背面に遊技を制御する制御基板が配置された遊技盤、及び、前記遊技盤とは別体に設けられ、前記制御基板に無線接続され、前記パチンコ機本体が開放されたことを検知して前記制御基板に開放検知信号を入力する検知スイッチを有し、前記パチンコ機本体に交換自在に装着される遊技盤ユニットとを備えたことを特徴とするパチンコ機。
【請求項３】
前記検知スイッチには、前記パチンコ機本体にクリップ止めするためのクリップが一体に形成されていることを特徴とする請求項１または２記載のパチンコ機。
【請求項４】
前記パチンコ機本体には遊技球の貯留タンクが設けられており、
前記検知スイッチは、前記貯留タンクに取り付けられることを特徴とする請求項１〜３いずれか記載のパチンコ機。
【請求項５】
前記検知スイッチは、前記パチンコ機本体の開閉に伴い、前記外枠と当接または前記当接が解除されることによって変位する可動片を備え、前記可動片の変位によりスイッチング動作することを特徴とする請求項１〜４いずれか記載のパチンコ機。
【請求項６】
前面に遊技球が打ち出される遊技領域が形成され、背面に遊技を制御する制御基板が配置された遊技盤を有し、外枠に開閉自在に軸着されたパチンコ機本体に対して交換自在に設けられた遊技盤ユニットにおいて、
前記遊技盤とは別体に設けられ、可撓性を有する信号線を介して前記制御基板に連結され、前記パチンコ機本体が開放されたことを検知して前記制御基板に開放検知信号を入力する検知スイッチを備えたことを特徴とする遊技盤ユニット。
【請求項７】
前面に遊技球が打ち出される遊技領域が形成され、背面に遊技を制御する制御基板が配置された遊技盤を有し、外枠に開閉自在に軸着されたパチンコ機本体に対して交換自在に設けられた遊技盤ユニットにおいて、
前記遊技盤とは別体に設けられ、前記制御基板に無線接続され、前記パチンコ機本体が開放されたことを検知して前記制御基板に開放検知信号を入力する検知スイッチを備えたことを特徴とする遊技盤ユニット。
【発明の詳細な説明】
【技術分野】
【０００１】
本発明は、パチンコ店などの遊技施設に設置されるパチンコ機、及び、パチンコ機本体に交換自在に装着される遊技盤ユニットに関するものである。
【背景技術】
【０００２】
パチンコ機は、パチンコ店の島設備に固定された外枠にパチンコ機本体が開閉自在に保持されている。また、パチンコ機本体には、遊技盤が交換自在に装着されている。遊技盤は、前面に遊技球が打ち出される遊技領域が形成されるとともに背面に遊技を制御する制御基板が配置されており、機種変更の際などに仕様の異なるものに交換される。
【０００３】
パチンコ機の中には、パチンコ機本体が開放された際にこれを検知するようにしたものもある。こうすることで、パチンコ機本体が不正に開放された場合や、メンテナンスの際に閉め忘れた場合などに、これを知ることができるので便利である（下記特許文献１〜４参照）。
【特許文献１】特開平０７−４７１６７号公報
【特許文献２】特許第３８４９４１４号公報
【特許文献３】特開２００４−３３３１０号公報
【特許文献４】特開２００６−１８７４６５号公報
【発明の開示】
【発明が解決しようとする課題】
【０００４】
しかしながら、従来は、パチンコ機本体が開放されたことを検知するための機能（以下、開放検知機能）は、パチンコ機本体に付随するものであった。このため、開放検知機能を持たないパチンコ機本体に新たに開放検知機能を追加しようとすると、パチンコ機本体の構造変更を行う必要があり、開放検知機能の追加を手軽に行えないといった問題があった。
【０００５】
本発明は、上記背景を鑑みてなされたものであり、開放検知機能の追加を手軽に行えるようにすることを目的としている。
【課題を解決するための手段】
【０００６】
上記目的を達成するために本発明のパチンコ機は、外枠に開閉自在に軸着されたパチンコ機本体と、前面に遊技球が打ち出される遊技領域が形成されるとともに背面に遊技を制御する制御基板が配置された遊技盤、及び、前記遊技盤とは別体に設けられ、可撓性を有する信号線を介して前記制御基板に連結され、前記パチンコ機本体が開放されたことを検知して前記制御基板に開放検知信号を入力する検知スイッチを有し、前記パチンコ機本体に交換自在に装着される遊技盤ユニットとを備えたことを特徴としている。
【０００７】
また、本発明のパチンコ機は、外枠に開閉自在に軸着されたパチンコ機本体と、前面に遊技球が打ち出される遊技領域が形成されるとともに背面に遊技を制御する制御基板が配置された遊技盤、及び、前記遊技盤とは別体に設けられ、前記制御基板に無線接続され、前記パチンコ機本体が開放されたことを検知して前記制御基板に開放検知信号を入力する検知スイッチを有し、前記パチンコ機本体に交換自在に装着される遊技盤ユニットとを備えたことを特徴としている。
【０００８】
前記検知スイッチには、前記パチンコ機本体にクリップ止めするためのクリップが一体に形成されていることが好ましい。
【０００９】
また、前記パチンコ機本体には遊技球の貯留タンクが設けられており、前記検知スイッチは、前記貯留タンクに取り付けられることが好ましい。
【００１０】
さらに、前記検知スイッチは、前記パチンコ機本体の開閉に伴い、前記外枠と当接または前記当接が解除されることによって変位する可動片を備え、前記可動片の変位によりスイッチング動作することが好ましい。
【００１１】
また、本発明の遊技盤ユニットは、前面に遊技球が打ち出される遊技領域が形成され、背面に遊技を制御する制御基板が配置された遊技盤を有し、外枠に開閉自在に軸着されたパチンコ機本体に対して交換自在に設けられた遊技盤ユニットにおいて、前記遊技盤とは別体に設けられ、可撓性を有する信号線を介して前記制御基板に連結され、前記パチンコ機本体が開放されたことを検知して前記制御基板に開放検知信号を入力する検知スイッチを備えたことを特徴としている。
【００１２】
さらに、本発明の遊技盤ユニットは、前面に遊技球が打ち出される遊技領域が形成され、背面に遊技を制御する制御基板が配置された遊技盤を有し、外枠に開閉自在に軸着されたパチンコ機本体に対して交換自在に設けられた遊技盤ユニットにおいて、前記遊技盤とは別体に設けられ、前記制御基板に無線接続され、前記パチンコ機本体が開放されたことを検知して前記制御基板に開放検知信号を入力する検知スイッチを備えたことを特徴としている。
【発明の効果】
【００１３】
本発明によれば、遊技盤ユニットに検知スイッチを設けたので、パチンコ機本体の構造変更を行わずに簡単に開放検知機能を追加できる。また、検知スイッチを遊技盤とは独立してパチンコ機本体に取り付けるようにしたので、検知スイッチの構成や取り付け位置の自由度が高く便利である。
【００１４】
さらに、検知スイッチをパチンコ機本体に取り付ける際に、パチンコ機本体の端部を挟むクリップを用いることで、より手軽に開放検知機能を追加できる。
【００１５】
また、一般に、パチンコ機本体には、パチンコ店側の遊技球供給装置からパチンコ機本体に供給される遊技球を受けるための遊技球タンク（貯留タンク）が設けられている。そして、この遊技球タンクの仕様は、パチンコ店側の遊技球供給装置に応じて決定されるため、パチンコ機本体の仕様によらず類似している。このため、遊技球タンクに検知スイッチを取り付けるようにすれば、汎用性が高い。
【００１６】
さらに、遊技球タンクは、パチンコ機本体を保持する外枠の近傍に位置するため、ここに検知スイッチを取り付けることによって、外枠から遠い部分に検知スイッチを取り付ける場合と比較して、検知スイッチの構成を簡略化できるだけでなく、パチンコ機本体が開放位置へ移動したことを確実に検知できる。
【００１７】
また、検知スイッチとして、可動片の変位によりスイッチング動作する簡単な構成のものを用いることで、開放検知機能を追加する際のコストを抑えることができる。
【発明を実施するための最良の形態】
【００１８】
図１、図２、図３に示すように、パチンコ機１０は、外枠１２と、パチンコ機本体１４とを備えている。外枠１２は略矩形に形成され、遊技施設（パチンコ店など）に固定されている。パチンコ機本体１４は、その一側部が外枠１２に軸着されて、図１、図２に示すように、他側部を外枠１２に近接させた閉じ位置と、図３に示すように、他側部を外枠１２から離間させた開き位置との間で回動自在となっている。
【００１９】
パチンコ機本体１４の前面側には、遊技球の受け皿１６、遊技球を発射させる操作ハンドル１８などが設けられている。パチンコ機本体１４の背面側には、遊技施設に設置された遊技球供給装置から供給される遊技球を受けるための遊技球タンク２０、遊技球タンク２０に貯留された遊技球を受け皿１６に払いだす払いだし装置２２、パチンコ機１０の各部に電源を供給する電源基板が収められた電源基板ケース２４などが設けられている。遊技球タンク２０は、すり鉢形に形成された底面２０ａと、矩形筒状の側壁２０ｂとからなり、上面が開口している。
【００２０】
また、図４に示すように、パチンコ機本体１４の前面側には、遊技盤ユニット３０が取り付けられている。遊技盤ユニット３０は、前面扉３２、遊技盤３４、保持枠３６がユニット化されたものであり、前面扉３２と遊技盤３４とが保持枠３６により保持されている。保持枠３６は、パチンコ機本体１４に対して着脱自在に設けられ、機種変更などの際には保持枠３６をパチンコ機本体１４から取り外すことで遊技盤ユニット３０の交換ができる。
【００２１】
遊技盤３４の前面には、周知のレールで囲まれた遊技領域３８が設けられている。詳しくは図示しないが、遊技領域３８には、図柄表示装置、入賞口、アタッカ、アウト口、遊技釘、風車などが設けられている。前面扉３２は、保持枠３６に軸着され開閉自在に設けられている。前面扉３２には、ガラス窓４０が設けられており、このガラス窓４０を介して遊技領域３８を視認できるようになっている。保持枠３６には、扉開放検知スイッチ４２が設けられており、前面扉３２が開放されるとこれが検知される。
【００２２】
図５に示すように、遊技盤３４の背面には、制御基板ケース４４や保護カバー４６などが取り付けられている。制御基板ケース４４には、パチンコ機１０の各部を制御する制御基板４８（図７参照）が収納されている。保護カバー４６は、図柄表示装置を制御する表示制御基板や、扉開放検知スイッチ４２が接続される中継基板５０を覆うように設けられている。表示制御基板や中継基板５０は、図示しない接続ハーネスを介して制御基板４８に接続されている。
【００２３】
また、中継基板５０には、ハーネス５２を介して本体開放検知スイッチ（検知スイッチ）５４が接続されている。ハーネス５２は、柔軟な２本のケーブル５２ａ、５２ｂからなり、各ケーブル５２ａ、５２ｂは、一端が中継基板５０に接続され、他端が保護カバー４６の下部に形成された図示しない開口を介して外部に露呈されている。そして、この他端に本体開放検知スイッチ５４が接続されている。
【００２４】
図６に示すように、本体開放検知スイッチ５４は、スイッチ本体５６と、クリップ５８とが一体化されたものである。クリップ５８は、一対の狭持板５８ａ、５８ｂを備えている。狭持板５８ａ、５８ｂは、遊技球タンク２０の側壁２０ｂの厚さとほぼ等しくなるようにその間隔が調整されている。そして、本体開放検知スイッチ５４は、狭持板５８ａ、５８ｂの間で遊技球タンク２０の側壁２０ｂを挟み込むようにしてパチンコ機本体１４に取り付けられる（図２、図３参照）。
【００２５】
スイッチ本体５６には、第１接片（変位部）５６ａ、第２接片５６ｂとが設けられている。第１接片５６ａと第２接片５６ｂとは、ともに導電性を有する金属片からなり、第１接片５６ａは、ケーブル５２ａに接続され、第２接片５６ｂはケーブル５２ｂに接続されている。第１接片５６ａは、スイッチ本体５６の上面から上方へ向けて延びるように帯形に形成されている。第２接片５６ｂは、山型に形成され、スイッチ本体５６の上面に配置される。
【００２６】
図７（Ａ）に示すように、パチンコ機本体１４が開き位置に移動された状態では、第１接片５６ａは、第２接片５６ｂから離間した位置（第１位置）にあり、本体開放検知スイッチ５４はオフとなっている。他方、同図（Ｂ）に示すように、パチンコ機本体１４が閉じ位置に移動されると、第１接片５６ａが外枠１２の内面により下方に押圧されて弾性変形し、第２接片５６ｂと接触する位置（第２位置）へ変位する。これにより、本体開放検知スイッチ５４がオンとなる。
【００２７】
制御基板４８には、ＣＰＵ６０が設けられ、さらにＣＰＵ６０には開放検知部６２が設けられている。そして、本体開放検知スイッチ５４は、中継基板５０を介して開放検知部６２に接続されている。開放検知部６２は、ケーブル５２ａ、５２ｂ間の電気抵抗値に基づいて本体開放検知スイッチ５４のオンオフを検出することで、パチンコ機本体１４が開き位置に移動された際にこれを検知する。また、開放検知部６２には、中継基板５０を介して、扉開放検知スイッチ４２が接続されており、前面扉３２が開放された際にこれが検知されるようになっている。
【００２８】
開放検知部６２が、パチンコ機本体１４が開き位置に移動されたことや、前面扉３２が開放されたことを検知すると、ＣＰＵ６０は、例えば、スピーカから報知音を出力したり、ホールコンピュータに信号を出力することによって、この旨を報知する。
【００２９】
なお、本発明は、パチンコ機本体が開き位置に移動されたことを検知する検知スイッチを、遊技盤ユニットに設ければよいので、細部の構成は上記実施形態に限定されるものではない。例えば、上記実施形態では、ハーネスを用いて検知スイッチを中継基板に接続する例で説明をしたが、無線ＬＡＮやＢｌｕｅｔｏｏｔｈなどにより無線接続してもよい。
【００３０】
また、検知スイッチを、中継基板を介して制御基板に接続する例で説明をしたが、直接、制御基板に接続してもよい。さらに、検知スイッチを表示制御基板に接続し、パチンコ機本体が開き位置に移動された際には、表示制御基板によりこれを検知し、この旨を示すメッセージを図柄表示装置に表示するといったことも考えられる。
【００３１】
さらに、上記実施形態では、検知スイッチとして、第１接片が変位して第２接片と当接または離間することによってオンオフが切り替わるスイッチを用いたが、これ以外の周知のスイッチを用いてパチンコ機本体が開き位置に移動されたことを検知してもよい。また、赤外線センサや近接センサなどを検知スイッチとして用い、非接触でパチンコ機本体が開き位置に移動されたことを検知してもよい。
【００３２】
また、上記実施形態では、遊技球タンクの側壁に検知スイッチを取り付ける例で説明をしたが、検知スイッチは、パチンコ機本体の任意の場所に取り付けることができる。さらに、クリップにより検知スイッチを取り付ける例で説明をしたが、クリップ以外の周知の機構によって取り付けてもよい。また、検知スイッチを、遊技盤を保持する保持枠とは独立してパチンコ機本体に取り付ける例で説明をしたが、検知スイッチを予め保持枠に取り付け、保持枠とともにパチンコ機本体に取り付けてもよい。
【００３３】
さらに、上記実施形態では、保持枠と前面扉とが遊技盤ユニットに設けられ、機種変更に伴い、保持枠及び前面扉も交換される例で説明をしたが、本発明はこれに限定されるものではない。パチンコ機の中には保持枠や前面扉がパチンコ機本体に設けられ、機種変更の際に遊技盤のみが交換されるものもある。このようなパチンコ機に開放検知機能を追加する場合は、遊技盤と検知スイッチとから遊技盤ユニットを構成すればよい。
【図面の簡単な説明】
【００３４】
【図１】パチンコ機の前面側外観図である。
【図２】パチンコ機の背面側外観図である。
【図３】パチンコ機本体が開き位置に移動された状態を示す説明図である。
【図４】パチンコ機本体から遊技盤ユニットを取り外した状態を示す分解図である。
【図５】遊技盤ユニットの背面側外観図である。
【図６】開放検知スイッチの外観図である。
【図７】パチンコ機本体が開き位置へ移動されたことを検知する機構の説明図である。
【符号の説明】
【００３５】
１０  パチンコ機
１２  外枠
１４  パチンコ機本体
２０  遊技球タンク
２０ｂ  側壁
３０  遊技盤ユニット
３４  遊技盤
４８  制御基板
５０  中継基板
５２  ハーネス
５４  本体開放検知スイッチ（検知スイッチ）
５６  スイッチ本体
５８  クリップ
６０  ＣＰＵ
６２  開放検知部
【図１】
2009000218.tif 000003
【図２】
2009000218.tif 000004
【図３】
2009000218.tif 000005
【図４】
2009000218.tif 000006
【図５】
2009000218.tif 000007
【図６】
2009000218.tif 000008
【図７】
2009000218.tif 000009